(57)【要約】      （修正有）【課題】通信システムにおいて呼び出しを自動的に終了させるための方法及び装置を提供する。【解決手段】通信の方法は、呼び出しを開始する呼び出しメッセージを送ること、該呼び出しメッセージに応答して呼び出し通知メッセージを送ること、該呼び出し通知メッセージは、該呼び出しの通知を与える、該呼び出し通知メッセージに応答して確認メッセージを送ること、該確認メッセージは、該呼び出し通知メッセージの受信を確認する、該確認メッセージに応答してリンギングメッセージを送ること、該リンギングメッセージは、呼び出し音を鳴らすことを指示する、該確認メッセージに応答して終了メッセージを自動的に送ること、及び該終了メッセージに応答して対応する終了メッセージを送ることを具備する。【選択図】図５
2010158017.tif 000002
【特許請求の範囲】
【請求項１】
通信の方法であって、下記を具備する：
呼び出しを始めること及び該呼び出しの終了を指示すること；及び
該呼び出しの該指示された終了に応答して該呼び出しを自動的に終了させること。
【請求項２】
請求項１の方法、ここで、該呼び出しを始めることは、呼び出しメッセージを送ることを含み、該呼び出しメッセージは該呼び出しの終了を指示することを含む。
【請求項３】
請求項２の方法であって、該呼び出しメッセージを受信することをさらに具備し、該呼び出しメッセージは該呼び出しの終了を指示することを含む。
【請求項４】
請求項１の方法であって、該呼び出しに対する応答メッセージを受信することをさらに具備する、ここで、該呼び出しを自動的に終了させることは、該呼び出しの該指示された終了及び該受信された応答メッセージに応答する。
【請求項５】
請求項４の方法、ここで、該受信された応答メッセージは、呼び出し音を鳴らすことを指示する。
【請求項６】
請求項１の方法、ここで、該通信の方法は、セッションイニシエーションプロトコル通信の方法であり、呼び出しを始めることは、要請メッセージを送ることを含む、及び該呼び出しの該指示された終了に応答して該呼び出しを自動的に終了させることは、取り消しメッセージを送ることを含む。
【請求項７】
通信の方法であって、下記を具備する：
呼び出しを開始する呼び出しメッセージを送ること；
該呼び出しメッセージに応答して呼び出し通知メッセージを送ること、該呼び出し通知メッセージは、該呼び出しの通知を提供する；
該呼び出し通知メッセージに応答して確認メッセージを送ること、該確認メッセージは、該呼び出し通知メッセージの受信を確認する；
該確認メッセージに応答してリンギングメッセージを送ること、該リンギングメッセージは、呼び出し音を鳴らすことを指示する；
該確認メッセージに応答して終了メッセージを自動的に送ること；及び
該終了メッセージに応答して対応する終了メッセージを送ること。
【請求項８】
請求項７の方法であって、通信チャネルを割り当てることをさらに具備する。
【請求項９】
請求項７の方法、ここで、通信チャネルを割り当てることは、該呼び出しメッセージに応答してチャネル指定メッセージを送ることを含み、該チャネル指定メッセージは、通信チャネルを指定する。
【請求項１０】
請求項８の方法であって、該終了メッセージを受信することに応答して該通信チャネルの割り当てを解くことをさらに具備する。
【請求項１１】
請求項８の方法であって、該確認メッセージを受信することに応答して該通信チャネルの割り当てを解くことをさらに具備する。
【請求項１２】
通信の方法であって、下記を具備する：
呼び出しを終了させることの指示を有する該呼び出しを開始するメッセージを受信すること；及び
該呼び出しを終了させることの指示を有する該呼び出しを開始する該メッセージを受信することに応答して該呼び出しを終了させること。
【請求項１３】
通信の方法であって、下記を具備する：
呼び出しを開始する呼び出しメッセージを受信すること；
該呼び出しメッセージがリング−オンリー呼び出しであることの指示を受信すること；
該呼び出しメッセージに応答して呼び出し通知メッセージを送ること、該呼び出し通知メッセージは、該呼び出しの通知を提供する；及び
該呼び出しがリング−オンリー呼び出しであることの指示に応答して終了メッセージを送ること、該終了メッセージは、該呼び出しを終了させる。
【請求項１４】
加入者局であって、下記を具備する：
呼び出しを始めるため及び該呼び出しの終了を指示するために構成された呼び出し開始ユニット；及び
該呼び出しを自動的に終了させるために構成された終了ユニット。
【請求項１５】
加入者局であって、下記を具備する：
呼び出しを始めるための手段；
該呼び出しの終了を指示するための手段；及び
該呼び出しを自動的に終了させるための手段。
【請求項１６】
請求項１４の加入者局、ここで、該終了ユニットは、該呼び出しの指示された終了に応答して自動的に該呼び出しを終了させるために構成される。
【請求項１７】
請求項１４の加入者局、ここで、該終了ユニットは、呼び出し音を鳴らすことの指示に応答して自動的に該呼び出しを終了させるために構成される。
【請求項１８】
請求項１４の加入者局であって、該呼び出しに対する応答メッセージを受信するために構成された受信ユニットをさらに具備する。
【請求項１９】
請求項１８の加入者局、ここで、該加入者局は、該呼び出しに対する応答メッセージを受信することに応答して該呼び出しを自動的に終了させるために構成される。
【請求項２０】
加入者局であって、下記を具備する：
呼び出しを終了させるための指示を有する該呼び出しを開始するメッセージを受信する受信ユニット；及び
該呼び出しを終了させるための指示を有する該呼び出しを開始するメッセージを受信することに応答して該呼び出しを終了させる終了ユニット。
【請求項２１】
加入者局であって、下記を具備する：
呼び出しを終了させるための指示を有する呼び出しを開始するメッセージを受信するための手段；及び
該呼び出しを終了させるための指示を有する該呼び出しを開始するメッセージを受信することに応答して該呼び出しを終了させるための手段。
【請求項２２】
ネットワークであって、下記を具備する：
呼び出しを開始する呼び出しメッセージを受信するため及び該呼び出しがリング−オンリー呼び出しであることの指示を受信するために構成された受信ユニット；及び
該呼び出しメッセージに応答して呼び出し通知メッセージを送るために構成され、該呼び出し通知メッセージは該呼び出しの通知を提供する、及び該呼び出しがリング−オンリー呼び出しであることの該指示に応答して終了メッセージを送るために、該終了メッセージは該呼び出しを終了させる、構成された送信ユニット。
【請求項２３】
通信システムであって、下記を具備する：
呼び出しを開始するメッセージを生成し、送るために構成され、及び呼び出し音を鳴らすことを指示するメッセージに応答して終了メッセージを自動的に生成し、送るために構成された第１の加入者局、該終了メッセージは該呼び出しを終了させる；及び
呼び出しを開始する該メッセージを受信すると呼び出し音を鳴らすために構成され、及び呼び出し音を鳴らすことを指示するメッセージを送るために構成された第２の加入者局。
【発明の詳細な説明】
【技術分野】
【０００１】
開示された実施形態は、一般に、通信の分野に係り、より具体的に通信システムにおいて呼び出し（call）を自動的に終了させるための方法及び装置に関する。
【背景技術】
【０００２】
通信の分野は、例えば、ページング、ワイアレスローカルループ、インターネット電話、及び衛星通信システム、を含む多くのアプリケーションを有する。イグゼンプラリなアプリケーションは、移動加入者に対するセルラ電話システムである。（ここで使用されるように、用語“セルラ”システムは、セルラ及びパーソナル通信サービス（ＰＣＳ）システム周波数の両者を含む。）複数のユーザが共通通信メディアへアクセスすることを可能にするために設計された最近の通信システムは、そのようなセルラシステムに対して開発されてきている。これらの最近の通信システムは、コード分割多元アクセス（ＣＤＭＡ）、時分割多元アクセス（ＴＤＭＡ）、周波数分割多元アクセス（ＦＤＭＡ）、空間分割多元アクセス（ＳＤＭＡ）、極分割多元アクセス（ＰＤＭＡ）、若しくはこの分野において知られた他の変調技術に基づく可能性がある。これらの変調技術は、通信システムの複数のユーザから受信された信号を復調する、これによって、通信システムの能力の増加を可能にする。これに関連して、種々のワイアレスシステムが、確立されてきた。例えば、高度移動電話サービス（Advanced Mobile Phone Service：ＡＭＰＳ）、移動通信に関するグローバルシステム（ＧＳＭ）、及びいくつかの他のワイアレスシステム、を含む。
【０００３】
ＦＤＭＡシステムでは、全周波数スペクトルは、複数のより小さなサブ−バンドに分割され、そして、各ユーザは、通信メディアをアクセスするために自分のサブバンドを与えられる。あるいは、ＴＤＭＡシステムでは、各ユーザは、周期的に繰り返すタイムスロットのあいだ全周波数スペクトルを与えられる。ＣＤＭＡシステムは、他のタイプのシステムに対して、システム能力の増加を含む、可能性のある利点を提供する。ＣＤＭＡシステムでは、各ユーザは、時間全体にわたって全周波数スペクトルを与えられるが、ユーザの固有のコードを通して自身の送信を区別する。
【０００４】
ＣＤＭＡシステムは、（１）“ＴＩＡ／ＥＩＡ−９５−Ｂ  ２重モード広帯域スペクトル拡散セルラシステムに関する移動局−基地局互換性標準”（ＩＳ−９５標準）、（２）“第３世代連携プロジェクト”（３ＧＰＰ）と命名されたコンソーシアムによって提案され、文書番号３Ｇ  ＴＳ  ２５．２１１、３Ｇ  ＴＳ  ２５．２１２、３Ｇ  ＴＳ  ２５．２１３、及び３Ｇ  ＴＳ  ２５．２１４を含む１組の文書に盛り込まれた標準（Ｗ−ＣＤＭＡ標準）、（３）“第３世代連携プロジェクト２”（３ＧＰＰ２）と命名されたコンソーシアムによって提案され、“ＴＲ−４５．５  ｃｄｍａ２０００スペクトル拡散システムに関する物理レイヤ標準（ＩＳ−２０００標準）”、及び（４）いくつかの他の標準のような、１若しくはそれより多いＣＤＭＡ標準をサポートするために設計される可能性がある。
【０００５】
上に挙げられたＣＤＭＡ通信システム及び標準において、利用可能なスペクトルは、複数のユーザの間で同時に共有され、そしてソフトハンドオフのような技術は、十分な品質を維持するために採用されて、音声のような、遅延に敏感なサービスをサポートする。データサービスも、利用可能である。最近では、システムは、高次変調、移動局からのキャリア対干渉比（Ｃ／Ｉ）の超高速フィードバック、超高速スケジューリング、及びさらに緩和された遅延要求を有するサービスに対するスケジューリングを使用することによって、データサービスに対する能力を増大することが提案されてきている。これらの技術を使用するそのようなデータのみの通信システムの例は、ＴＩＡ／ＥＩＡ／ＩＳ−８５６標準（ＩＳ−８５６標準）に準拠する高データレート（ＨＤＲ）システムである。
【０００６】
他の上に挙げられた標準と対照的に、ＩＳ−８５６システムは、１回に１つのユーザへデータを送信するために、各セルにおいて利用可能なスペクトル全体を使用する。どのユーザが取り扱われているかの決定において使用される１つの因子は、リンク品質である。どのユーザが取り扱われているかを選択するための因子としてリンク品質を使用することによって、チャネルが良好な場合に、システムは、より高いレートでデータを送ることに時間の大きな割合を費やす、それによってリソースが非効率なレートで送信をサポートすることを確約することを回避する。正味の効果は、より高いデータ容量、より高いピークデータレート、及びより高い平均スループットである。
【０００７】
システムは、ＩＳ−２０００標準においてサポートされた音声チャネル若しくはデータチャネルのような、遅延に敏感なデータに対するサポートを、ＩＳ−８５６において説明したもののようなパケットデータサービスに対するサポートとともに組み込むことができる。そのようなシステムの１つが、第３世代パートナーシッププロジェクト２（３ＧＰＰ２）に対してＬＧ電子、ＬＳＩロジック、ルーセントテクノロジーズ、ノーテルネットワークス、クァルコムインコーポレーテッド、及び三星によって提出された提案に説明されている。その提案は、２００１年６月１１日に、文書番号  Ｃ５０−２００１０６１１−００９として３ＧＰＰ２に提出された、“１ｘＥＶ−ＤＶに関する最新の結合物理レイヤ提案”；２００１年８月２０日に、文書番号  Ｃ５０−２００１０８２０−０１１として３ＧＰＰ２に提出された、“Ｌ３ＮＱＳシミュレーション検討の結果”；及び２００１年８月２０日に、文書番号  Ｃ５０−２００１０８２０−０１２として３ＧＰＰ２に提出された、“ｃｄｍａ２０００  １ｘ−ＥＶＤＶに関するＬ３ＮＱＳフレームワーク提案に対するシステムシミュレーション結果“と名付けられた文書に詳細に説明されている。これらは、以降、１ｘＥＶ−ＤＶ提案として呼ばれる。
【０００８】
前述の標準の全ては、呼び出しアテンプトの自動終了を可能にする特徴（feature）を含まない。呼び出しは、通信システム内の２つのエンドポイント間の接続である。１つのエンドポイントにおいて、第１の加入者局上の第１のユーザ（呼び出しをするパーティ（calling party）とも呼ばれる）は、呼び出しを始める。他の１のエンドポイントにおいて、第２の加入者局上の第２のユーザ（呼び出されたパーティ（called party）とも呼ばれる）は、着信呼び出しの表示を受信する。それに加えて、第２のユーザは、第１のユーザのアイデンティティ（identity）も受信する可能性がある、これは、第２の加入者局がコーラーＩＤ（caller-ID）特徴（若しくは同等の特徴）を有するのであれば、第２のユーザが、決定できる。
【０００９】
一般に、第２のユーザは、第２の加入者局において着信呼び出しを示す呼び出し音を聞く。第１のユーザは、単に第２のユーザの呼び出し音を鳴らすことを望む可能性があり、第２のユーザと話をしない可能性がある。この場合には、第１のユーザは、第２のユーザが呼び出しに答える前に、例えば、第２のユーザの“電話を切ること”によって呼び出しを手動で終了させることを試みる。しかしながら、第２のユーザは、第１のユーザが呼び出しを手動で終了させる前に、呼び出しに答える可能性がある。これは、呼び出しを開始することに関する第１のユーザの目的を阻止する。それゆえ、呼び出しを自動的に終了させることを可能にする特徴に関して、この分野においてニーズがある。これは、呼び出しが答えられるリスクなしに、ユーザが他のユーザの呼び出し音を鳴らすことを可能にするはずである。
【発明の概要】
【００１０】
ここに開示された実施形態は、呼び出しの自動的終了を可能にする特徴に関するニーズに向けられている。開示された実施形態は、以下にさらに詳細に説明されるように、本発明の種々の態様を実行する方法及びシステムエレメントを提供する。
【００１１】
ここに開示された実施形態は、呼び出しを自動的に終了させる方法及び装置を提供することによって上記のニーズに向けられる。１つの態様では、通信の方法は、呼び出しを始めること及び該呼び出しの終了を指示すること、該呼び出しの該指示された終了に応答して該呼び出しを自動的に終了させることを具備する。
【００１２】
他の１つの態様では、通信の方法は、呼び出しを開始する呼び出しメッセージを送ること、該呼び出しメッセージに応答して呼び出し通知メッセージを送ること、該呼び出し通知メッセージは、該呼び出しの通知を与える、該呼び出し通知メッセージに応答して確認メッセージを送ること、該確認メッセージは、該呼び出し通知メッセージの受信を確認する、該確認メッセージに応答してリンギングメッセージ（ringing message）を送ること、該リンギングメッセージは、呼び出し音を鳴らすことを指示する、該確認メッセージに応答して終了メッセージを自動的に送ること、及び該終了メッセージに応答して対応する終了メッセージを送ることを具備する。
【００１３】
他の１つの態様では、通信の方法は、呼び出しを終了させることの指示を有する該呼び出しを開始するメッセージを受信すること、及び該呼び出しを終了させることの指示を有する該呼び出しを開始するメッセージを受信することに応答して該呼び出しを終了させることを具備する。
【００１４】
他の１つの態様では、通信の方法は、呼び出しを開始する呼び出しメッセージを受信すること、該呼び出しメッセージは、リング−オンリー呼び出し（ring-only call）であることの指示を受信すること、該呼び出しメッセージに応答して呼び出し通知メッセージを送ること、該呼び出し通知メッセージは、該呼び出しの通知を提供する、及び該呼び出しがリング−オンリー呼び出しであることの指示に応答して終了メッセージを送ること、該終了メッセージは、該呼び出しを終了させる、を具備する。
【００１５】
他の１つの態様では、加入者局は、呼び出しを始めるため及び該呼び出しの終了を指示するために構成された呼び出し開始ユニット、及び該呼び出しを自動的に終了させるために構成された終了ユニットを具備する。
【００１６】
他の１つの態様では、加入者局は、呼び出しを始めるための手段、該呼び出しの終了を指示するための手段、及び該呼び出しを自動的に終了させるための手段を具備する。
【００１７】
他の１つの態様では、加入者局は、呼び出しを終了させるための指示を有する該呼び出しを開始するメッセージを受信する受信ユニット、及び該呼び出しを終了させるための指示を有する該呼び出しを開始するメッセージを受信することに応答して該呼び出しを終了させる終了ユニットを具備する。
【００１８】
他の１つの態様では、加入者局は、呼び出しを終了させるための指示を有する該呼び出しを開始するメッセージを受信するための手段、及び該呼び出しを終了させるための指示を有する該呼び出しを開始するメッセージを受信することに応答して該呼び出しを終了させるための手段を具備する。
【００１９】
他の１つの態様では、ネットワークは、呼び出しを開始する呼び出しメッセージを受信するため及び該呼び出しがリング−オンリー呼び出しであることの指示を受信するために構成された受信ユニット、及び該呼び出しメッセージに応答して呼び出し通知メッセージを送るために構成され、該呼び出し通知メッセージは該呼び出しの通知を提供する、及び該呼び出しがリング−オンリー呼び出しであることの該指示に応答して終了メッセージを送るために、該終了メッセージは該呼び出しを終了させる、構成された送信ユニットを具備する。
【００２０】
他の１つの態様では、通信システムは、呼び出しを開始するメッセージを生成し、送るために構成され、及び呼び出し音を鳴らすことを指示するメッセージに応答して終了メッセージを自動的に生成し、送るために構成された第１の加入者局、該終了メッセージは該呼び出しを終了させる、及び呼び出しを開始するメッセージを受信すると呼び出し音を鳴らすために構成され、及び呼び出し音を鳴らすことを指示するメッセージを送るために構成された第２の加入者局を具備する。
【図面の簡単な説明】
【００２１】
【図１】図１は、イグゼンプラリな通信システムの単純化したブロック図である。
【図２】図２は、ユーザが単に第２のユーザの呼び出し音を鳴らすことを望み、第２のユーザと話すことを望まない場合に、呼び出しの手動終了に関するメッセージフロー図を示す。
【図３】図３は、通信システムのイグゼンプラリな実施形態のフロー図を示す、ここで、第１のユーザは、第２のユーザの呼び出し音を鳴らすことだけを望み、そして呼び出しは、自動的に終了される。
【図４】図４は、通信システムのイグゼンプラリな実施形態のフロー図を示す、ここで、自動呼び出し終了の指示は、メッセージ中で指示される。
【図５】図５は、ＣＤＭＡ通信システムのイグゼンプラリな実施形態のフロー図を示す、ここで、第１のユーザは、第２のユーザの呼び出し音を鳴らすことだけを望み、そして呼び出しは、自動的に終了される。
【図６】図６は、ＣＤＭＡ通信システムのイグゼンプラリな実施形態のフロー図を示す、ここで、自動呼び出し終了の指示は、メッセージ中で指示される。
【図７】図７は、セッションイニシエーションプロトコル（ＳＩＰ）通信システムのフロー図を示す、ここで、メディアセッションは、第１の加入者局上の第１のユーザと第２の加入者局上の第２のユーザとの間で作り出される。
【図８】図８は、ＳＩＰ通信システムのイグゼンプラリな実施形態のフロー図を示す、ここで、第１のユーザは、第２のユーザの呼び出し音を鳴らすことだけを望み、そして呼び出しは、自動的に終了される。
【図９】図９は、ＳＩＰ通信システムのイグゼンプラリな実施形態のフロー図を示す、ここで、自動呼び出し終了の指示は、メッセージ中で指示される。
【図１０】図１０は、通信システムのイグゼンプラリな実施形態のフロー図を示す、ここで、自動呼び出し終了の指示は、メッセージ中で指示され、そして第２の加入者局は、呼び出しを終わらせる。
【詳細な説明】
【００２２】
添付された図面に関連して以下に示された詳細な説明は、本発明のイグゼンプラリな実施形態の説明として意図され、本発明が実行されることができる唯一の実施形態を表わすことを意図していない。この説明で一貫して使用される用語“イグゼンプラリ”は、“例、事例、若しくは実例として働くこと”を意味し、他のある実施形態に対して好ましい若しくは優位であるとして解釈される必要性はない。詳細な説明は、本発明の十分な理解を提供することの目的のために具体的な詳細を含む。しかしながら、本発明が、これらの具体的な詳細なしに実行される可能性があることは、この分野において知識のある者にとって明らかであろう。ある例では、周知の構造及び装置が、本発明のコンセプトを不明瞭にすることを避けるためにブロック図の形式で示される。
【００２３】
通信システムのイグゼンプラリな実施形態において、通信装置は、ネットワークをアクセスできる、若しくは他の装置と通信できる。ネットワークは、パケットに基づいたネットワークであることが可能であり、例えば、インターネット若しくは企業イントラネット、公衆スイッチ電話ネットワーク（ＰＳＴＮ）、若しくはいずれかの他の適切なネットワークである。アクセスネットワークは、通信装置とネットワークとの間のワイアレスインターフェースを提供するために使用されることが可能である。アクセスネットワークは、例として、基地局コントローラと通信している１若しくはそれより多い基地局を含む、種々の形式を受け入れる可能性がある。イグゼンプラリな通信システムは、移動及び固定加入者局を含む種々の通信装置をサポートできる。
【００２４】
加入者局は、加入者ユニット、移動局、移動体、遠隔局、遠隔ターミナル、アクセスターミナル、ユーザターミナル、ユーザエージェント、若しくはユーザ装置と呼ばれることも可能である。加入者局は、セルラ電話機、コードレス電話機、ワイアレスモデムに接続されたコンピュータ若しくは他のプロセシング装置、ワイアレスローカルループ（ＷＬＬ）局、ワイアレス接続能力を有するパーソナルディジタルアシスタント（ＰＤＡ）若しくはハンドヘルド装置である可能性がある。加入者局も、セッションイニシエーションプロトコル（ＳＩＰ）電話機、セル電話機、若しくはコンピュータである可能性がある。
【００２５】
本発明の種々の態様がＣＤＭＡ通信システムの関係で説明されるが、ここで説明された呼び出しを自動的に終了させる技術は、ＴＤＭＡ，ＦＤＭＡ，ＳＤＭＡ，ＰＤＭＡ、及びこの分野で知られた他の変調技術に基づいた通信システム、及びＡＭＰＳ，ＧＳＭ，ＨＤＲ，並びに各種のＣＤＭＡ標準を含む標準、及びこの分野で知られた他の通信標準に基づいた通信システムを含む、種々の他の通信環境における使用に対して同様に適している。したがって、ＣＤＭＡ通信システムへのいかなる言及は、発明の態様が広範囲のアプリケーションを有することを理解することをもって、本発明の態様を説明することだけを意図する。
【００２６】
図１は、本発明の種々の実施形態を組み込む一方で、ＣＤＭＡ通信システム標準のいずれかにしたがって動作することが可能なイグゼンプラリな通信システム１００の単純化したブロック図である。このイグゼンプラリな通信システムは、拡散スペクトル通信に基づいた変調及び多元アクセススキームである。
【００２７】
通信システム１００は、音声、データ若しくは両者の通信に対してである可能性がある。基地局コントローラ１０２は、ネットワーク１０４と地理的な通信範囲全体に分散された全ての基地局との間のインターフェースを与えるために使用されることができる。説明を容易にするために、ただ１つの基地局１０６が示される。地理的な通信範囲は、セルとして知られるより小さな領域に一般にサブ分割される。各基地局は、自身のそれぞれのセル内の全ての加入者局を取り扱うために構成される。ある高度なトラフィックアプリケーションでは、セルは、複数のセクタに分割される可能性があり、基地局は各セクタを取り扱う。３つの加入者局１０８ａ−ｃが、基地局１０６と通信していると示される。各加入者局１０８ａ−ｃは、基地局コントローラ１０２の制御の下で１若しくはそれより多い基地局を経由して、ネットワークをアクセスする、若しくは他の加入者局と通信する可能性がある。少なくとも１の実施形態では、通信システム１００は、ワイアレス通信チャネルを介して高レートデータ及び高品質音声サービスをサポートする。
【００２８】
イグゼンプラリな通信システム１００は、基地局１０６と加入者局１０８ａ−ｃとの間の双方向通信をサポートする。基地局から加入者局への送信は、順方向リンクとして呼ばれ、そして加入者局から基地局への送信は、逆方向リンクとして呼ばれる。
【００２９】
通信システム１００における基地局と加入者局との間の通信は、音声及びデータの通信を含む可能性がある。そのような通信リンクも、基地局と加入者局との間のデータのフローを設定するため、維持するため、そして終了させるために制御メッセージ通信を含む。制御情報は、ソースと宛て先（destination）との間で通信されるメッセージのストリームの形式である可能性がある。制御情報は、それゆえ、シグナリングプロトコルレイヤ（signaling protocol layer）を経由して処理される可能性がある。
【００３０】
加入者局は、音声通話若しくはデータ通話を実施することに加えて複数の機能を実施するために使用される可能性がある。加入者局の非常に良く用いられる使用は、例えば、ショートメッセージサービス（ＳＭＳ）のメッセージを送ることである。ＳＭＳメッセージを送ることは、加入者局と外部システム、例えば、電子メール、ページング、及び音声メールシステム、との間で送信される短い文字メッセージを可能にする。
【００３１】
ヨーロッパにおいてますます急速に広まってきている加入者局の他の1の使用は、ページャに類似の様式での加入者局の使用である。この関係で、加入者局ユーザは、自身の加入者局を他の加入者局の“呼び出し音を鳴らすために（to ring）”使用している。第１の加入者局の第１のユーザは、第２の加入者局の第２のユーザへの呼び出しを開始して、第１のユーザが、第２の加入者局が鳴っていることを示す呼び出し音（ダイアルトーンとも呼ばれる）を聞くと、第１のユーザは、“電話を切る”、すなわち、呼び出しを終了させる。このようにして、第１のユーザは、第２のユーザの“呼び出し音を鳴らす”。
【００３２】
第１の加入者局が第２の加入者局を呼び出す場合に、第１の加入者局は、第２の加入者局へ呼び出しメッセージを送る。呼び出しメッセージは、第２の加入者局に着信呼び出しを指示する。第２の加入者局がコーラーＩＤ特徴（若しくは同等の特徴）、セルラ電話機の一般的な特徴、を有するのであれば、第２の加入者局は、呼び出し者のアイデンティティを取り込む。一旦取り込まれると、第２の加入者局は、第２のユーザに呼び出し者アイデンティティを指示する。
【００３３】
呼び出し者の取り込まれたアイデンティティが表示される場合には、第２のユーザは、例えば、“第１のユーザからの間違い電話（missed call）”のようなメッセージを見るはずである。そのように表示されたメッセージは、人と人との関係に依存して異なる意味を有する可能性がある。例えば、そのように表示されたメッセージは、第１のユーザが、第２のユーザから返事の電話を要求していることを意味する可能性がある、これは、第１のユーザが第２のユーザをページングすることに類似する、若しくは、表示されたメッセージは、何かのアクションを第２のユーザに指示する可能性がある。
【００３４】
第１のユーザが、第２のユーザの呼び出し音を鳴らすことだけを望み、第２のユーザと話をすることを望まない場合に、第１のユーザは、呼び出し音を聞くと呼び出しを終了させる操作を実施する。第１のユーザは、第１の加入者局のユーザインターフェースにおいてそのように指示することによって呼び出しを終了させる。セルラ通信では、呼び出し音は、無線で同報通信されない。第１の加入者局の呼び出し音は、第２の加入者局と接続され、第２の加入者局が呼び出し音を鳴らすことを、ネットワークが第１の加入者局へ通信すると直ぐに、第１の加入者局によって発生される。
【００３５】
図２は、ユーザが、単に第２のユーザの呼び出し音を鳴らすことを望み、第２のユーザと話をすることを望まない場合に、呼び出しの手動終了に関するメッセージフロー図を示す。
【００３６】
ステップ２１２において、第１のユーザ１０８ａは、第２のユーザ１０８ｂの番号をダイアルし、呼び出しを始める。呼び出しは、通話ボタンを押すことによって開始されることができる、若しくは音声イネーブルされた（voice enabled）加入者局の場合には、呼び出しは、音声命令によって開始されることができる。呼び出しメッセージ（呼び出し開始の要求とも呼ばれる）が、生成され、ネットワーク１０４に送られる。
【００３７】
ステップ２１４において、ネットワーク１０４は、呼び出しメッセージを受信する。ネットワーク１０４は、ユーザの名簿中に第２のユーザを見つけ出し、第２のユーザへページを送る。すなわち、ネットワーク１０４は、第２のユーザへ呼び出し通知メッセージを送る。呼び出し通知メッセージは、第２のユーザに対して着信音声呼び出しがあることを指示する。
【００３８】
ステップ２１６において、第２の加入者局は、着信呼び出し通知メッセージを受信し、呼び出し音を鳴らし始める。第２の加入者局のイネーブルされたコーラーＩＤ特徴は、第２の加入者局上に第１のユーザのアイデンティティを表示することを可能にする。
【００３９】
ステップ２１８において、第２の加入者局は、確認メッセージをネットワーク１０４へ送る。確認メッセージは、着信呼び出しの第２の加入者局の受信を第２の加入者局が知らせることを指示する。
【００４０】
一旦、ネットワーク１０４が、第２の加入者局から確認メッセージを受信すると、ネットワーク１０４は、第２のユーザが呼び出しに答えると直ぐに、第１のユーザと第２のユーザが会話できることを決定する。それゆえ、ステップ２２０において、ネットワーク１０４は、第１のユーザへリンギングメッセージを送る。
【００４１】
ステップ２２２において、呼び出し音は、リンギングメッセージの受信とともに第１の加入者局１０８ａにおいて発生され、それゆえ、第１のユーザは、呼び出し音１０８ｂを聞く。一般に、これは、第１のユーザにとって、第２のユーザの加入者局１０８ｂが呼び出し音を鳴らされていることを意味する。
【００４２】
第１のユーザが、第２のユーザと会話することを実際に望むのであれば、第１のユーザは、第２の加入者局での呼び出し音に第２のユーザが答えることを単純に待つ。第１のユーザが、第２のユーザの呼び出し音を鳴らすことだけを望むのであれば、第１のユーザは、そのようなことを第２の加入者局１０８ｂに指示する、すなわち、第１のユーザは、“電話を切る”。そのようにして、第１のユーザは、呼び出しを手動で終了させる。第１のユーザは、ボタンを押すことによって呼び出しを手動で終了できる。音声イネーブルされた加入者局では、第１のユーザは、呼び出しを終了させる音声命令を発することによって呼び出しを手動で終了できる。
【００４３】
ステップ２２４において、終了メッセージは、第１の加入者局１０８ａにおいて発生され、ネットワーク１０４へ送られる。その後、ステップ２２６において、ネットワーク１０４が、第１の加入者局１０８ａから終了メッセージを受信した後で、ネットワーク１０４は、第２の加入者局１０８ｂへ対応する終了メッセージを送る。
【００４４】
ステップ２２８において、呼び出しアテンプトは、第２の加入者局において終了され、第２の加入者局は、ネットワーク１０４から終了メッセージが受信された時に、呼び出し音を鳴らすことを停止する。第２の加入者局の画面は、第２の加入者局１０８ｂからの間違い電話を示すメッセージを表示する可能性がある。
【００４５】
通信システムのイグゼンプラリな実施形態では、第２の加入者局１０８ｂが第２の加入者局の呼び出し音を鳴らすと、呼び出しを終了させるプロセスが、自動化される。通信システムの少なくとも１のイグゼンプラリな実施形態では、第２の加入者局１０８ｂが呼び出し音を発生すると直ぐに、呼び出しは自動的に終了される。呼び出しを終了させるためにボタンを押さなければならないこと、若しくは音声命令を発しなければならないこととは対照的に、第１のユーザは、呼び出しを終了させるために呼び出し音を聞いた後で押す必要がない、若しくは何もする必要がない。
【００４６】
第１のユーザは、呼び出し開始プロセスの一部として第１の加入者局のユーザインターフェース上に呼び出しの自動終了を指示する。ある実施形態では、自動呼び出し終了は、第２のユーザのダイアルをすることに関連してボタンを押すことによって指示される。他のある実施形態では、自動呼び出し終了は、第２のユーザのダイアルをすることに関連して音声命令を発することによって指示される。さらに他のある実施形態では、自動呼び出し終了は、第２のユーザのダイアルをすることに関連してボタンを押すこと及び音声命令を発することの組み合わせによって指示される。このようにして、呼び出し開始プロセスの一部分として呼び出し者は、呼び出しの自動終了を開始する。
【００４７】
図３は、通信システムのイグゼンプラリな実施形態のフロー図を示す。ここでは、第１のユーザは、第２のユーザの呼び出し音を鳴らすことを望むだけで、呼び出しは、自動的に終了される。この実施形態では、無線インターフェースに対して若しくはシグナリングメッセージに対して変更がないことが、呼び出しの自動終了を実行するために要求される。それゆえ、図３のフロー図は、図２のフロー図と同様に見えるが、ステップが異なる。
【００４８】
ステップ３１２において、第１のユーザ１０８ａは、第２のユーザの呼び出し音を鳴らし、そして第２の加入者局１０８ｂの呼び出し音を鳴らすことともに自動的に終了する呼び出しを始める。呼び出しは、第１のユーザ１０８ａが第２のユーザ１０８ｂの番号をダイアルすることによって開始される。第１のユーザ１０８は、呼び出しが第２の加入者局１０８ｂの呼び出し音を鳴らすと自動的に終了されることを、第１の加入者局１０８ａのユーザインターフェース上で指示する。そのようにして、呼び出しメッセージは、生成されそしてネットワーク１０４へ送られるが、第１の加入者局１０８ａは、進行中の実行された呼び出しが、第２の加入者局１０８ｂの呼び出し音を鳴らすと自動的に終了される呼び出しとして既に認識している。呼び出し音を鳴らすと自動的に終了される呼び出しとして進行中の実行された呼び出しの認識は、第１の加入者局において発生し、ネットワーク１０４へ送られる呼び出しメッセージ中に指示されない。
【００４９】
ステップ３１４において、ネットワーク１０４は、呼び出し開始の要求、すなわち、呼び出しメッセージを受信する。ネットワーク１０４は、呼び出しメッセージを受信するために構成された受信ユニットを含む。呼び出しメッセージは、呼び出しを開始し、そして呼び出しがリンギング−オンリー呼び出しであることの指示を受信するために構成される。ネットワークも、呼び出しメッセージに応答して呼び出し通知メッセージ、呼び出し通知メッセージは呼び出しの通知を提供する、を送るために構成され、及び呼び出しがリンギング−オンリー呼び出しであることの指示に応答して終了メッセージ、終了メッセージは呼び出しを終了させる、を送るために構成された送信ユニットを含む。
【００５０】
ネットワーク１０４は、ユーザの名簿中の第２のユーザを見出し、第２のユーザに呼び出し通知メッセージを送る。呼び出し通知メッセージは、第２のユーザに対する着信音声呼び出しがあることを第２のユーザに指示する。
【００５１】
ステップ３１６において、第２の加入者局１０８ｂは、着信呼び出し通知メッセージを受信し、呼び出し音を鳴らし始める。第２の加入者局１０８ｂにおけるイネーブルされたコーラーＩＤ特徴は、第１のユーザのアイデンティティが第２の加入者局１０８ｂ上に表示されることを可能にする。ある実施形態では、呼び出し者の取り込まれたアイデンティティは、第２の加入者局の画面に表示される。あるいは、呼び出し者の取り込まれたアイデンティティは、第２の加入者局のスピーカによってアナウンスされる。
【００５２】
ステップ３１８において、第２の加入者局１０８ｂは、ネットワーク１０４へ確認メッセージを送る。確認メッセージは、第２の加入者局が、着信呼び出し通知の第２の加入者局１０８ｂの受信を知らせることを指示する。
【００５３】
一旦、ネットワーク１０４が、第２の加入者局１０８ｂから確認メッセージを受信すると、ネットワーク１０４は、第１のユーザ及び第２のユーザが、第２のユーザが呼び出しに答えると直ぐに会話できることを決定する。それゆえ、ステップ３２０において、ネットワーク１０４は、第１のユーザへリンギングメッセージを送る。
【００５４】
ある実施形態では、呼び出し音は、リンギングメッセージの第１の加入者局の受信とともに、第１の加入者局１０８ａにおいて発生される、そのため、第１のユーザは、ステップ３２２において呼び出し音を聞く。一般に、これは、第１のユーザにとって、第２のユーザの加入者局が呼び出し音を鳴らしていることを意味する。他のある実施形態では、呼び出し音は、ステップ３２２において、リンギングメッセージの第１の加入者局の受信とともに、第１の加入者局１０８ａにおいて発生されない。
【００５５】
ステップ３２４において、終了メッセージは、第１の加入者局１０８ａにおいて発生され、第１のユーザ１０８ａによるいかなるアクションを必要としないでネットワーク１０４へ送られる。その後、ステップ３２６において、ネットワーク１０４が、第１の加入者局１０８ａから終了メッセージを受信した後で、ネットワーク１０４は、第２の加入者局１０８ｂへ対応する終了メッセージを送る。このようにして、ステップ３２４及び３２６のメッセージは、自動的にトリガされる。ネットワーク１０４からのリンギングメッセージの受信とともに、ステップ３２４及び３２６の終了メッセージは、第１のユーザの手助けなしにトリガされる。
【００５６】
ステップ３２８において、呼び出しアテンプトは、第２の加入者局１０８ｂにおいて終了され、第２の加入者局１０８ｂは、ネットワーク１０４から終了メッセージが受信された時に、呼び出し音を鳴らすことを中止する。ある実施形態では、第２の加入者局１０８ｂ上の画面は、第１の加入者局１０８ａからの間違い電話を指示しているメッセージを表示する。他のある実施形態では、第１の加入者局１０８ａからの間違い電話を指示するメッセージは、第２の加入者局のスピーカによってアナウンスされる。
【００５７】
図４は、通信システムのイグゼンプラリな実施形態のフロー図を示す。ここでは、第１のユーザは、第２のユーザの呼び出し音を鳴らすことを望むだけであり、呼び出しは、自動的に終了される。この実施形態では、シグナリングメッセージは、呼び出しの自動終了を実行するために変更される。ステップ４１２において、第１のユーザが第２のユーザの呼び出し音を鳴らすことを望むだけであることを、第１のユーザが決定する場合に、フラッグは、第１のユーザが第２のユーザの呼び出し音を鳴らすだけであることを指示することを設定する。フラッグは、呼び出しメッセージの中でエンコードされることができる。
【００５８】
通信システムの少なくとも１のイグゼンプラリな実施形態では、第１のユーザは、第２のユーザの呼び出し音を鳴らすこと及び第２のユーザと通話しないことが、これから実施されることを、第１の加入者局１０８ａのユーザインターフェースを介して指示する。すなわち、第２のユーザは、これから呼び出し音を鳴らされ、通話されないことである。
【００５９】
通信システムの少なくとも１のイグゼンプラリな実施形態では、第１のユーザは、第２のユーザが第２のユーザの電話番号をダイアルしている間に起動された仕組みで呼び出し音を鳴らされることを、指示する。通信システムの他のイグゼンプラリな実施形態では、第１のユーザは、第２のユーザが第２のユーザの電話番号をダイアルすることとは別の仕組みで呼び出し音を鳴らされることを、指示する。この仕組みは、第１のユーザが第２のユーザと会話することを望む場合と第１のユーザが第２のユーザの呼び出し音を鳴らすことだけを望む場合とを区別する。通信システムの少なくとも１のイグゼンプラリな実施形態では、仕組みは、押されるべき少なくとも１のボタンである。他のあるイグゼンプラリな実施形態では、仕組みは、押されるべき少なくとも１のキーである。他のあるイグゼンプラリな実施形態では、仕組みは、音声がイネーブルされた加入者局で発せられるべき少なくとも１の音声命令である。少なくとも１のイグゼンプラリな実施形態では、仕組みは、第１の加入者局１０８ａのウェブインターフェースを介して実行される。仕組みがイネーブルされるならば、保留中の呼び出しは、自動的に終了される。
【００６０】
ステップ４１４において、ネットワーク１０４は、呼び出しメッセージを受信する。ある実施形態では、ネットワーク１０４は、ユーザが呼び出しメッセージにおいて第２のユーザの呼び出し音を鳴らすことを望むだけであることの指示を受信する。他のある実施形態では、ネットワーク１０４は、ユーザが呼び出しメッセージ以外のメッセージにおいて第２のユーザの呼び出し音を鳴らすことを望むだけであることの指示を受信する。この時点で、第１の加入者局１０８ａへリンギングメッセージを送る必要がないことを、ネットワーク１０４は、指示（以降、リング−オンリー指示（ring-only indication）と呼ぶ）から決定できる。ネットワーク１０４は、ユーザの名簿の中から第２のユーザを見出し、第２のユーザへリング−オンリー指示を送る。すなわち、第２のユーザがこれから呼び出し音を鳴らされるだけであることを、ネットワーク１０４は、第２のユーザへ通知を送る。
【００６１】
ステップ４１６において、第２の加入者局１０８ｂは、着信リング−オンリー指示を受信し、呼び出し音を鳴らし始める。第２の加入者局１０８ｂのイネーブルされたコーラーＩＤ特徴は、第２の加入者局１０８ｂ上に第１のユーザのアイデンティティが表示されることを可能にする。ある実施形態では、呼び出し者の取り込まれたアイデンティティは、第２の加入者局の画面に表示される。他のある実施形態では、呼び出し者の取り込まれたアイデンティティは、第２の加入者局のスピーカによりアナウンスされる。
【００６２】
ステップ４１８において、第２の加入者局１０８ｂは、ネットワーク１０４へ確認メッセージを送る。確認メッセージは、第２の加入者局１０８ｂが着信リング−オンリー指示の第２の加入者局１０８ｂの受信を知らせることを指示する。
【００６３】
ある実施形態では、ネットワークは、第１の加入者局１０８ａにリンギングメッセージを送る必要がない。これによって、ネットワーク１０４から第１の加入者局１０８ａへの通信チャネル中のバンド幅を節約する。あるいは、ネットワークは、第１の加入者局１０８ａにリンギングメッセージを送る可能性がある。
【００６４】
図５は、ＣＤＭＡ通信システムのイグゼンプラリな実施形態のフロー図を示す。ここでは、第１のユーザは、第２のユーザの呼び出し音を鳴らすことを望むだけであり、呼び出しは、自動的に終了される。この実施形態では、エアーインターフェースへの若しくはシグナリングメッセージへの変更は、呼び出しの自動終了を実施するために要求されない。それゆえ、図５のフロー図は、図２のフロー図のように見えるが、ステップが異なる。
【００６５】
ステップ５１２において、第１の加入者局１０８ａは、第２のユーザの呼び出し音を鳴らし、第２の加入者局１０８ｂの呼び出し音を鳴らすこととともに自動的に終了する呼び出しを始める。呼び出しは、第１の加入者局１０８ａが第２の加入者局１０８ｂの電話番号をダイアルすることによって開始される。第１のユーザ１０８は、呼び出しが第２の加入者局１０８ｂの呼び出し音を鳴らすことともに自動的に終了されることを第１の加入者局１０８ａのユーザインターフェース上で指示する。そのようにして、呼び出しメッセージ（開始メッセージとも呼ばれる）は、生成され、ネットワーク１０４に送られるが、第１の加入者局１０８ａは、進行中の試みられた呼び出しが、第２の加入者局１０８ｂの呼び出し音を鳴らすこととともに自動的に終了される呼び出として、既に認識している。自動的に終了される呼び出しとしての進行中の試みられた呼び出しの認識は、第１の加入者局において生じ、ネットワーク１０４へ送られた呼び出しメッセージ中に指示されない。
【００６６】
ステップ５１４において、ネットワーク１０４は、呼び出し開始に関する要求、すなわち、呼び出しメッセージを受信する。ネットワーク１０４は、ユーザの名簿中に第２のユーザを見出し、第２のユーザにページを送る。すなわち、第２のユーザに対する着信音声呼び出しがあることを、ネットワーク１０４は、第２のユーザに呼び出し通知メッセージ（ページングメッセージとも呼ばれる）を送る。このようにして、ネットワーク１０４は、第１の通信チャネルをその付帯するリソースとともに第１の加入者局１０８ａへ割り当て、第２の通信チャネルをその付帯するリソースとともに第２の加入者局１０８ｂへ割り当てる。
【００６７】
ステップ５１５において、チャネル指定メッセージは、ネットワーク１０４から第１の加入者局１０８ａに送られる。チャネル指定メッセージは、第１の加入者局１０８ａに第１の通信チャネルを指定する。ある実施形態では、チャネル指定メッセージは、リンギングメッセージがネットワーク１０４から第１の加入者局１０８ａに送られる前に、ネットワーク１０４から第１の加入者局１０８ａに送られる。あるいは、チャネル指定メッセージは、リンギングメッセージがネットワーク１０４から第１の加入者局１０８ａに送られた後で、ネットワーク１０４から第１の加入者局１０８ａに送られる。リンギングメッセージがネットワーク１０４から第１の加入者局１０８ａに送られる前に若しくは後で、チャネル指定メッセージが、ネットワーク１０４から第１の加入者局１０８ａに送られるかどうかは、インプリメンテーションに依存する。
【００６８】
ステップ５１６において、第２の加入者局１０８ｂは、着信呼び出し通知メッセージを受信し、呼び出し音を鳴らし始める。第２の加入者局１０８ｂのイネーブルされたコーラーＩＤ特徴は、第２の加入者局１０８ｂ上に第１のユーザのアイデンティティを表示することを可能にする。ある実施形態では、呼び出し者の取り込まれたアイデンティティは、第２の加入者局の画面に表示される。あるいは、呼び出し者の取り込まれたアイデンティティは、第２の加入者局のスピーカによってアナウンスされる。
【００６９】
ステップ５１８において、第２の加入者局１０８ｂは、ネットワーク１０４へ確認メッセージ（ページ応答メッセージとも呼ばれる）を送る。確認メッセージは、第２の加入者局１０８ｂが着信呼び出し通知の第２の加入者局１０８ｂの受信を知らせることを指示する。
【００７０】
一旦、ネットワーク１０４が、第２の加入者局１０８ｂから確認メッセージを受信すると、ネットワーク１０４は、第２のユーザが呼び出しに答えると直ぐに、第１のユーザ及び第２のユーザが会話できることを決定する。それゆえ、ステップ５２０において、ネットワーク１０４は、第１のユーザへリンギングメッセージを送る。ある実施形態では、リンギングメッセージは、第２の加入者局１０８ｂの呼び出し音を鳴らすことに関する情報を有する第１のユーザを喚起する、情報を有するアラートメッセージ（Alert With Information Message）である。
【００７１】
ある実施形態では、チャネル指定メッセージは、ネットワーク１０４が第１の加入者局１０８ａへリンギングメッセージを送る前に、第１の加入者局１０８ａへネットワーク１０４によって送られる。あるいは、チャネル指定メッセージは、ネットワーク１０４が第１の加入者局１０８ａへリンギングメッセージを送った後で、第１の加入者局１０８ａへネットワーク１０４によって送られる。ある実施形態では、ネットワーク１０４は、第１の加入者局１０８ａへチャネル指定メッセージを送らない。
【００７２】
ある実施形態では、呼び出し音は、リンギングメッセージの第１の加入者局の受信とともに、第１の加入者局１０８ａにおいて発生される、そのために、第１のユーザは、ステップ５２２において、呼び出し音を聞く。一般に、第１のユーザにとって、これは、第２のユーザの加入者局が呼び出し音を鳴らしていることを意味する。他のある実施形態では、呼び出し音は、ステップ５２２においてリンギングメッセージの第１の加入者局の受信とともに、第１の加入者局１０８ａにおいて発生されない。
【００７３】
ステップ５２４において、終了メッセージ（開放命令とも呼ばれる）は、第１の加入者局１０８ａにおいて発生され、そして第１のユーザ１０８ａによるいかなるアクションも必要としないでネットワーク１０４へ送られる。ネットワークは、第１の加入者局１０８ａに割り当てられた第１の通信チャネルを付帯するリソースとともに開放する。その後、ステップ５２６において、ネットワーク１０４は、ネットワーク１０４が第１の加入者局１０８ａから終了メッセージを受信した後で、第２の加入者局１０８ｂへ対応する終了メッセージ（開放メッセージとも呼ばれる）を送る。ネットワークは、第２の加入者局１０８ｂに割り当てられた第２の通信チャネルを付帯するリソースとともに開放する。このようにして、ステップ５２４及び５２６のメッセージは、自動的にトリガされる。ネットワーク１０４からのリンギングメッセージの受信とともに、ステップ５２４及び５２６の終了メッセージは、第１のユーザの手助けなしにトリガされる。ステップ５２４及び５２６の終了メッセージは、第１の加入者局１０８ａと第２の加入者局１０８ｂとの間の通信チャネルに対して割り当てられたリソースを開放する。
【００７４】
ステップ５２８において、呼び出しアテンプトは、第２の加入者局１０８ｂにおいて終了され、そして第２の加入者局１０８ｂは、ネットワーク１０４からの終了メッセージが受信された時に、呼び出し音を鳴らすことを停止する。ある実施形態では、第２の加入者局１０８ｂの画面は、第１の加入者局１０８ａからの間違い電話を示すメッセージを表示する。他のある実施形態では、第１の加入者局１０８ａからの間違い電話を示すメッセージは、加入者局のスピーカによってアナウンスされる。
【００７５】
図６は、ＣＤＭＡ通信システムのイグゼンプラリな実施形態のフロー図を示す、ここでは、第１のユーザは、第２のユーザの呼び出し音を鳴らすことを望むだけで、呼び出しは、自動的に終了される。この実施形態では、シグナリングメッセージは、呼び出しの自動終了を実行するために変更される。ステップ４１２において、第１のユーザが第２のユーザの呼び出し音を鳴らすことを望むだけであることを第１のユーザが決定する場合に、フラッグは、第１のユーザが第２のユーザの呼び出し音を鳴らすだけであることを指示することを設定する。フラッグは、呼び出しメッセージの中でエンコードされることができる。
【００７６】
通信システムの少なくとも１のイグゼンプラリな実施形態では、第１のユーザは、第２のユーザの呼び出し音を鳴らすこと及び第２のユーザと通話しないことがこれから実施されることを、第１の加入者局１０８ａのユーザインターフェースを介して指示する。すなわち、第２のユーザは、呼び出し音を鳴らされ、通話しない。
【００７７】
通信システムの少なくとも１のイグゼンプラリな実施形態では、第１のユーザは、第２のユーザが第２のユーザの電話番号をダイアルしている間に起動される仕組みを用いて、呼び出し音を鳴らされることを指示する。通信システムの他のイグゼンプラリな実施形態では、第１のユーザは、第２のユーザが第２のユーザの電話番号をダイアルすることとは別の仕組みを用いて、呼び出し音を鳴らされることを指示する。仕組みは、第１のユーザが第２のユーザと会話することを望む場合と第１のユーザが第２のユーザの呼び出し音を鳴らすことだけを望む場合とを区別する。通信システムの少なくとも１のイグゼンプラリな実施形態では、仕組みは、押されるべき少なくとも１のボタンである。他のイグゼンプラリな実施形態では、仕組みは、押されるべき少なくとも１のキーである。他のイグゼンプラリな実施形態では、仕組みは、音声イネーブルされた加入者局において発せられるべき少なくとも１の音声命令である。少なくとも１のイグゼンプラリな実施形態では、仕組みは、第１の加入者局１０８ａのウェブインターフェースを介して実行される。仕組みがイネーブルされるのであれば、保留中の呼び出しは、自動的に終了される。
【００７８】
ステップ６１４において、ネットワーク１０４は、呼び出しの開始に関する要求、すなわち、呼び出しメッセージを受信する。ある実施形態では、ネットワーク１０４は、ユーザが呼び出しメッセージにおいて第２のユーザの呼び出し音を鳴らすことを望むだけであることの指示を、受信する。他のある実施形態では、ネットワーク１０４は、ユーザが呼び出しメッセージ以外のメッセージにおいて、第２のユーザの呼び出し音を鳴らすことを望むだけであることの指示を、受信する。この時点で、第１の加入者局１０８ａへリンギングメッセージを送る必要がないことを、ネットワーク１０４は、指示（以降、リング−オンリー指示と呼ぶ）から決定できる。ネットワーク１０４は、ユーザの名簿の中から第２のユーザを見出し、第２のユーザへリング−オンリー指示を送る。すなわち、第２のユーザがこれから呼び出し音を鳴らされるだけであることを、ネットワーク１０４は、第２のユーザへ呼び出し通知メッセージ（ページングメッセージとも呼ばれる）を送る。ネットワーク１０４は、第２のユーザが呼び出し音を鳴らされるだけであることを知っているので、通信チャネルを付帯するリソースとともに割り当てる必要がない。
【００７９】
ステップ６１６において、第２の加入者局１０８ｂは、着信リング−オンリー指示を受信し、呼び出し音を鳴らし始める。第２の加入者局１０８ｂのイネーブルされたコーラーＩＤ特徴は、第２の加入者局１０８ｂ上に第１のユーザのアイデンティティが表示されることを可能にする。ある実施形態では、呼び出し者の取り込まれたアイデンティティは、第２の加入者局の画面に表示される。他のある実施形態では、呼び出し者の取り込まれたアイデンティティは、第２の加入者局のスピーカによりアナウンスされる。
【００８０】
ステップ６１８において、第２の加入者局１０８ｂは、ネットワーク１０４へ確認メッセージ（ページ応答メッセージとも呼ばれる）を送る。確認メッセージは、第２の加入者局１０８ｂが着信リング−オンリー指示の第２の加入者局１０８ｂの受信を知らせることを指示する。
【００８１】
ある実施形態では、ネットワークは、第１の加入者局１０８ａにリンギングメッセージ（情報を有するアラートメッセージ）を送る必要がない。これによって、ネットワーク１０４から第１の加入者局１０８ａへの通信チャネル中のバンド幅を節約する。あるいは、ネットワークは、第１の加入者局１０８ａにリンギングメッセージを送る可能性がある。
【００８２】
確認メッセージを受信すると、ネットワーク１０４は、第１の加入者局１０８ａへの第１の通信チャネルを付帯するリソースとともに割り当てを解き、そして第２の加入者局１０８ｂへの第２の通信チャネルを付帯するリソースとともに割り当てを解く。
【００８３】
図７は、セッションイニシエーションプロトコル（ＳＩＰ）通信システムのフロー図を示す。ここでは、メディアセッション（media session）が、第１の加入者局上の第１のユーザと第２の加入者局上の第２のユーザとの間で生成される。ＳＩＰ通信システムでは、２つの加入者ユニット間の通信は、プロクシサーバを経由して設定される。プロクシサーバは、加入者ユニット間のセキュリティを保障するための中間手段として作用する。加入者ユニット間の通信リンクは、有線通信リンク若しくはワイアレス通信リンクであることが可能である。
【００８４】
ステップ７１２において、第１の加入者局１０８ａは、第２のユーザへの呼び出し（要請とも呼ばれる）を始める。呼び出しは、第１のユーザによって要求されたメディアセッションのタイプの詳細を含む。要求されるはずのメディアセッションのタイプは、例えば、オーディオセッション、ビデオセッション、マルチメディアセッションを含むが、これらに限定されない。呼び出しは、第１のユーザ１０８ａが第２のユーザ１０８ｂの電話番号をダイアルすることによって開始される。そのようにして、呼び出しメッセージは、生成され、プロクシサーバ７０４へ送られる。プロクシサーバ７０４は、第１の加入者局１０８ａと第２の加入者局１０８ｂとの間の中間手段として働くサーバである。
【００８５】
ステップ７１４において、プロクシサーバ７０４は、呼び出し開始に関する要求、すなわち、呼び出しメッセージを受信する。プロクシサーバ７０４は、ユーザの名簿中に第２のユーザを見出し、第２のユーザにページを送る。すなわち、第２のユーザに対する着信音声呼び出しがあることを、プロクシサーバ７０４は、第２のユーザに呼び出し通知メッセージ（要請とも呼ばれる）を送る。
【００８６】
ステップ７１５において、チャネル指定メッセージは、プロクシサーバ７０４から第１の加入者局１０８ａに送られる。チャネル指定メッセージは、第１の加入者局１０８ａに第１の通信チャネルを指定する。
【００８７】
ステップ７１６において、第２の加入者局１０８ｂは、着信呼び出し通知メッセージを受信し、呼び出し音を鳴らし始める。このようにして、プロクシサーバ７０４は、第１の加入者局１０８ａへ第１の通信チャネルをその付帯するリソースとともに割り当て、第２の加入者局１０８ｂへ第２の通信チャネルをその付帯するリソースとともに割り当てる。
【００８８】
ステップ７１８において、第２の加入者局１０８ｂは、プロクシサーバ７０４へリンギングメッセージを送る。リンギングメッセージは、第２の加入者局１０８ｂが呼び出し音を鳴らされていることを指示する。ステップ７２０において、一旦、プロクシサーバ７０４が、第２の加入者局１０８ｂからリンギングメッセージを受信すると、プロクシサーバ７０４は、第１の加入者局１０８ａへリンギングメッセージを送る。ステップ７２２において、呼び出し音は、リンギングメッセージの第１の加入者局の受信とともに第１の加入者局において発生される、それゆえ、第１のユーザは、呼び出し音を聞く。一般に、これは、第１のユーザにとって、第２のユーザの加入者局が呼び出し音を鳴らされていることを意味する。
【００８９】
第２のユーザが呼び出しを受理する場合、ステップ７３０において、第２の加入者局１０８ｂは、プロクシサーバ７０４へ確認メッセージ（ＯＫメッセージとも呼ばれる）を送る。確認メッセージは、第２の加入者局１０８ｂ上の第２のユーザが、呼び出しに答えたことを指示する。
【００９０】
一旦、プロクシサーバ７０４が、第２の加入者局１０８ｂから確認メッセージを受信すると、プロクシサーバ７０４は、第１のユーザ及び第２のユーザが会話できることを決定する。それゆえ、ステップ７３２において、プロクシサーバ７０４は、第１のユーザへ確認メッセージを送る。
【００９１】
ステップ７３６において、確認メッセージの受信を知らせる承認は、第１の加入者局１０８ａから第２の加入者局１０８ｂへ直接送られる。ステップ７３８において、一旦、第２の加入者局１０８ｂが承認を受信すると、メディアセッションは、第１の加入者局１０８ａと第２の加入者局１０８ｂとの間で生成され、第１の加入者１０８ａと第２の加入者１０８ｂは、互いに直接通信できる。
【００９２】
図８は、ＳＩＰ通信システムのイグゼンプラリな実施形態のフロー図を示す。ここでは、第１のユーザは、第２のユーザの呼び出し音を鳴らすことを望だけで、呼び出しは、自動的に終了される。この実施形態では、エアーインターフェースに対する若しくはシグナリングメッセージに対する変更は、呼び出しの自動終了を実行するために必要でない。
【００９３】
ステップ８１２において、第１の加入者局１０８ａは、第２のユーザの呼び出し音を鳴らし第２の加入者局１０８ｂの呼び出し音を鳴らすと自動的に終了させる、呼び出し（要請とも呼ばれる）を始める。呼び出しは、第１のユーザによって要求されたメディアセッションのタイプの詳細を含む。要求される可能性があるメディアセッションのタイプは、例えば、オーディオセッション、ビデオセッション、マルチメディアセッションを含むが、これらに限定されない。呼び出しは、第１のユーザ１０８ａが第２のユーザ１０８ｂの電話番号をダイアルすることによって開始される。第１のユーザ１０８は、呼び出しが第２の加入者局１０８ｂの呼び出し音を鳴らすと自動的に終了することを、加入者局１０８ａのユーザインターフェース上で指示する。そのようにして、呼び出しメッセージは、生成され、プロクシサーバ７０４へ送られるが、第１の加入者局１０８ａは、第２の加入者局１０８ｂの呼び出し音を鳴らすと自動的に終了する呼び出しとして進行中の試みられている呼び出しを、既に認識している。自動的に終了する呼び出しとして進行中の試みられている呼び出しを認識することは、第１の加入者局において発生し、プロクシサーバ８０４へ送られた呼び出しメッセージ中では指示されない。
【００９４】
ステップ８１４において、プロクシサーバ８０４は、呼び出し開始に関する要求、すなわち、呼び出しメッセージを受信する。プロクシサーバ８０４は、ユーザの名簿中に第２のユーザを見出し、第２のユーザにページを送る。すなわち、第２のユーザに対する着信音声呼び出しがあることを、プロクシサーバ８０４は、第２のユーザに呼び出し通知メッセージ（要請とも呼ばれる）を送る。ステップ８１５において、プロクシサーバ８０４は、第１の加入者局１０８ａへ第１の通信チャネルをその付帯するリソースとともに割り当て、第２の加入者局１０８ｂへ第２の通信チャネルをその付帯するリソースとともに割り当てる。
【００９５】
ステップ８１６において、第２の加入者局１０８ｂは、着信呼び出し通知メッセージを受信し、呼び出し音を鳴らし始める。第２の加入者局１０８ｂのイネーブルされたコーラーＩＤ特徴は、第２の加入者局１０８ｂ上に第１のユーザのアイデンティティが表示されることを可能にする。ある実施形態では、呼び出し者の取り込まれたアイデンティティは、第２の加入者局の画面に表示される。あるいは、呼び出し者の取り込まれたアイデンティティは、第２の加入者局のスピーカによりアナウンスされる。
【００９６】
ステップ８１８において、第２の加入者局１０８ｂは、プロクシサーバ７０４へリンギングメッセージを送る。リンギングメッセージは、第２の加入者局１０８ｂが呼び出し音を鳴らされていることを指示する。ステップ８２０において、一旦、プロクシサーバ７０４が、第２の加入者局１０８ｂからリンギングメッセージを受信すると、プロクシサーバ７０４は、第１の加入者局１０８ａへリンギングメッセージを送る。ステップ８２２において、呼び出し音は、リンギングメッセージの第１の加入者局の受信とともに、第１の加入者局において発生される。それゆえ、第１のユーザは、呼び出し音を聞く。一般に、これは、第１のユーザにとって、第２のユーザの加入者局が呼び出し音を鳴らされていることを意味する。
【００９７】
ある実施形態では、呼び出し音は、リンギングメッセージの第１の加入者局の受信とともに、第１の加入者局において発生される。そして、ステップ８２２において、第１のユーザは、呼び出し音を聞く。一般に、これは、第１のユーザにとって、第２のユーザの加入者局が呼び出し音を鳴らされていることを意味する。他のある実施形態では、呼び出し音は、ステップ８２２において、リンギングメッセージの第１の加入者局１０８ａの受信とともに、第１の加入者局１０８ａにおいて発生されない。
【００９８】
ステップ８２４において、終了メッセージ（取り消しと呼ばれる）は、第１の加入者局１０８ａにおいて発生され、第１のユーザ１０８ａによるいかなるアクションを必要としないでプロクシサーバ８０４へ送られる。終了メッセージの受信とともに、プロクシサーバ９０４は、第１の通信チャネルをその付帯するリソースとともに第１の加入者局１０８ａへの割り当てを解き、そして第２の通信チャネルをその付帯するリソースとともに第２の加入者局１０８ｂへの割り当てを解く。
【００９９】
その後、ステップ８２６において、プロクシサーバ８０４が第１の加入者局１０８ａから終了メッセージを受信した後で、プロクシサーバ８０４は、第２の加入者局１０８ｂへ対応する終了メッセージ（取り消しとも呼ばれる）を送る。このようにして、ステップ８２４及び８２６のメッセージは、自動的にトリガされる。プロクシサーバ８０４からのリンギングメッセージの受信とともに、ステップ８２４及び８２６の終了メッセージは、第１のユーザの手助けなしにトリガされる。
【０１００】
ステップ８２８において、呼び出しアテンプトは、第２の加入者局１０８ｂにおいて終了され、そしてプロクシサーバ８０４から終了メッセージが受信された時に、第２の加入者局１０８ｂは、呼び出し音を鳴らすことを停止する。ある実施形態では、第２の加入者局１０８ｂの画面は、第１の加入者局１０８ａからの間違い電話を示すメッセージを表示する。他のある実施形態では、第１の加入者局１０８ａからの間違い電話を示すメッセージは、加入者局のスピーカによってアナウンスされる。
【０１０１】
図９は、ＳＩＰ通信システムのイグゼンプラリな実施形態のフロー図を示す。ここでは、第１のユーザは、第２のユーザの呼び出し音を鳴らすことを望むだけであり、呼び出しは、自動的に終了される。
【０１０２】
この実施形態では、シグナリングメッセージは、呼び出しの自動終了を実行するために変更される。ステップ９１２において、第１のユーザ１０８ａは、第２のユーザの呼び出し音を鳴らし第２の加入者局１０８ｂの呼び出し音を鳴らすことと自動的に終了する呼び出し（要請とも呼ばれる）を始める。ステップ９１２において、第１のユーザが第２のユーザの呼び出し音を鳴らすことを望むだけであることを第１のユーザが決定する場合に、フラッグは、第１のユーザが第２のユーザの呼び出し音を鳴らすだけであることを指示することを設定される。フラッグは、呼び出しメッセージの中でエンコードされることができる。
【０１０３】
通信システムの少なくとも１のイグゼンプラリな実施形態では、第２のユーザの呼び出し音を鳴らすこと及び第２のユーザと通話しないことがこれから実施されることを、第１のユーザは、第１の加入者局１０８ａのユーザインターフェースを介して指示する。すなわち、第２のユーザは、これから呼び出し音を鳴らされ、通話しない。
【０１０４】
通信システムの少なくとも１のイグゼンプラリな実施形態では、第２のユーザが第２のユーザの電話番号をダイアルしている間に起動された仕組みで呼び出し音を鳴らされることを、第１のユーザは、指示する。通信システムの他のあるイグゼンプラリな実施形態では、第２のユーザが第２のユーザの電話番号をダイアルすることとは別の仕組みで呼び出し音を鳴らされることを、第１のユーザは、指示する。この仕組みは、第１のユーザが第２のユーザと会話することを望む場合と第１のユーザが第２のユーザの呼び出し音を鳴らすことだけを望む場合とを区別する。通信システムの少なくとも１のイグゼンプラリな実施形態では、仕組みは、押されるべき少なくとも１のボタンである。他のあるイグゼンプラリな実施形態では、仕組みは、押されるべき少なくとも１のキーである。他のあるイグゼンプラリな実施形態では、仕組みは、音声がイネーブルされた加入者局で発せられるべき少なくとも１の音声命令である。少なくとも１のイグゼンプラリな実施形態では、仕組みは、第１の加入者局１０８ａのウェブインターフェースを介して実行される。仕組みがイネーブルされるならば、保留中の呼び出しは、自動的に終了される。
【０１０５】
ステップ９１４において、プロクシサーバ９０４は、呼び出しメッセージを受信する。ある実施形態では、プロクシサーバ９０４は、ユーザが呼び出しメッセージにおいて第２のユーザの呼び出し音を鳴らすことを望むだけであることの指示を受信する。他のある実施形態では、プロクシサーバ９０４は、ユーザが呼び出しメッセージ以外のメッセージにおいて第２のユーザの呼び出し音を鳴らすことを望むだけであることの指示を受信する。この時点で、第１の加入者局１０８ａへリンギングメッセージを送る必要がないことを、プロクシサーバ９０４は、指示（以降、リング−オンリー指示と呼ぶ）から決定できる。プロクシサーバ９０４は、ユーザの名簿の中から第２のユーザを見出し、第２のユーザへリング−オンリー指示を送る。すなわち、第２のユーザがこれから呼び出し音を鳴らされるだけであることを、プロクシサーバ９０４は、第２のユーザへの呼び出し通知メッセージ（要請とも呼ばれる）を送る。プロクシサーバ９０４は、第２のユーザが呼び出し音を鳴らされるだけであることを知っているので、通信チャネルをその付帯するリソースとともに割り当てる必要がない。
【０１０６】
ステップ９１８において、第２の加入者局１０８ｂは、プロクシサーバ９０４へ確認メッセージ（ページ応答メッセージとも呼ばれる）を送る。確認メッセージは、第２の加入者局１０８ｂが着信リング−オンリー指示の第２の加入者局１０８ｂの受信を知らせることを指示する。
【０１０７】
ネットワークは、第１の加入者局１０８ａにリンギングメッセージを送る必要がない。これによって、プロクシサーバ９０４から第１の加入者局１０８ａへの通信チャネル中のバンド幅を節約する。
【０１０８】
ある実施形態では、第１の加入者局は、呼び出し開始ユニット、受信ユニット、及び終了ユニットを含む。開始ユニットは、呼び出しメッセージを送ることによって呼び出しを始める。受信ユニットは、呼び出しメッセージに対する応答メッセージを受信する。終了ユニットは、呼び出しを自動的に終了させる。この分野に知識のある者は、これらのユニットが、本発明の範囲から逸脱しないで統合できることを理解するはずである。
【０１０９】
第１の加入者局が呼び出しを自動的に終了させることへの代案は、第２の加入者局が、呼び出しがリング−オンリー呼び出しであることの第１の加入者局からの指示に応答して呼び出しを自動的に終了させる、実施形態である。それゆえ、第２の加入者局は、呼び出しがリング−オンリー呼び出しであることの指示を受信する受信ユニットを含むことに加えて、呼び出しを自動的に終了させるための終了ユニットを含む。
【０１１０】
図１０は、通信システムのイグゼンプラリな実施形態のフロー図を示す。ここでは、自動呼び出し終了の指示は、メッセージ中で指示され、そして第２の加入者局は、呼び出しを終了させる。
【０１１１】
この実施形態では、シグナリングメッセージは、呼び出しの自動終了を実行するために変更される。ステップ１０１２において、第１のユーザが第２のユーザの呼び出し音を鳴らすことを望むだけであることを、第１のユーザが決定する時に、フラッグは、第１のユーザが第２のユーザの呼び出し音を鳴らすだけであることを指示することを設定される。フラッグは、呼び出しメッセージの中でエンコードされることができる。
【０１１２】
通信システムの少なくとも１のイグゼンプラリな実施形態では、第２のユーザの呼び出し音を鳴らすこと及び第２のユーザと通話しないことがこれから実施されることを、第１のユーザは、第１の加入者局１０８ａのユーザインターフェースを介して指示する。すなわち、第２のユーザは、これから呼び出し音を鳴らされ、通話しない。
【０１１３】
通信システムの少なくとも１のイグゼンプラリな実施形態では、第２のユーザが第２のユーザの電話番号をダイアルしている間に起動された仕組みで呼び出し音を鳴らされることを、第１のユーザは、指示する。通信システムの他のあるイグゼンプラリな実施形態では、第２のユーザが第２のユーザの電話番号をダイアルすることとは別の仕組みで呼び出し音を鳴らされることを、第１のユーザは、指示する。この仕組みは、第１のユーザが第２のユーザと会話することを望む場合と第１のユーザが第２のユーザの呼び出し音を鳴らすことだけを望む場合とを区別する。通信システムの少なくとも１のイグゼンプラリな実施形態では、仕組みは、押されるべき少なくとも１のボタンである。他のあるイグゼンプラリな実施形態では、仕組みは、押されるべき少なくとも１のキーである。他のあるイグゼンプラリな実施形態では、仕組みは、音声がイネーブルされた加入者局で発せられるべき少なくとも１の音声命令である。少なくとも１のイグゼンプラリな実施形態では、仕組みは、第１の加入者局１０８ａのウェブインターフェースを介して実行される。仕組みがイネーブルされるならば、保留中の呼び出しは、自動的に終了される。
【０１１４】
ステップ１０１４において、ネットワーク１０４は、呼び出しメッセージを受信する。ある実施形態では、ユーザが呼び出しメッセージにおいて第２のユーザの呼び出し音を鳴らすことを望むだけであることの指示を、ネットワーク１０４は、受信する。他のある実施形態では、ユーザが呼び出しメッセージ以外のメッセージにおいて第２のユーザの呼び出し音を鳴らすことを望むだけであることの指示を、ネットワーク１０４は、受信する。この時点で、第１の加入者局１０８ａへリンギングメッセージを送る必要がないことを、ネットワーク１０４は、指示（以降、リング−オンリー指示と呼ぶ）から決定できる。ネットワーク１０４は、ユーザの名簿の中から第２のユーザを見出し、第２のユーザへリング−オンリー指示を送る。すなわち、第２のユーザがこれから呼び出し音を鳴らされるだけであることを、ネットワーク１０４は、第２のユーザへ通知を送る。
【０１１５】
ステップ１０１６において、第２の加入者局１０８ｂは、着信リング−オンリー指示を受信し、呼び出し音を鳴らし始める。第２の加入者局１０８ｂのイネーブルされたコーラーＩＤ特徴は、第１のユーザのアイデンティティが第２の加入者局１０８ｂ上に表示されることを可能にする。ある実施形態では、呼び出し者の取り込まれたアイデンティティは、第２の加入者局の画面に表示される。他のある実施形態では、呼び出し者の取り込まれたアイデンティティは、第２の加入者局のスピーカによりアナウンスされる。
【０１１６】
ステップ１０１８において、第２の加入者局１０８ｂは、ネットワーク１０４へ終了メッセージを送る。終了メッセージは、第２の加入者局１０８ｂが着信リング−オンリー指示の第２の加入者局１０８ｂの受信を知らせること、及びネットワークが呼び出しを終了させることを指示する。
【０１１７】
ある実施形態では、ネットワークは、第１の加入者局１０８ａにリンギングメッセージを送る必要がない。これによって、ネットワーク１０４から第１の加入者局１０８ａへの通信チャネル中のバンド幅を節約する。あるいは、ネットワークは、第１の加入者局１０８ａにリンギングメッセージを送る可能性がある。
【０１１８】
この分野に知識のある者は、第２の加入者局の“呼び出し音を鳴らすこと”が、第２の加入者局の耳に聞こえる呼び出し音を鳴らすことでなければならいことでないことも理解する。この分野に知識のある者は、“呼び出し音を鳴らすこと”は、着信呼び出しが受信されたことをユーザに喚起する第２の加入者局における任意の指示であるはずであることも、理解する。例えば、“呼び出し音を鳴らすこと”は、視覚的に呼び出し音を鳴らすことであることができる。これによって、呼び出し音を鳴らすことを指示するテキストが、第２の加入者局の画面上に表示される。“呼び出し音を鳴らすこと”の他の例は、着信呼び出しが受信されたことを第２のユーザを指示する第２の加入者局の物理的な振動であることができる。
【０１１９】
この分野に知識のある者は、方法のステップが本発明の範囲から逸脱しないで置き換えられること、を理解するはずである。この分野に知識のある者は、情報及び信号が、各種の異なる技術及び技法いずれかを使用して表されることも、理解するはずである。例えば、全体の上記の説明で参照される可能性がある、データ、指示、命令、情報、信号、ビット、シンボル、及びチップは、電圧、電流、電磁波、磁場若しくは磁力粒子、光場若しくは光粒子、若しくはこれらの任意の組み合わせによって表わされる可能性がある。
【０１２０】
この分野に知識のある者は、ここに開示された実施形態に関連して説明された各種の解説的な論理ブロック、モジュール、回路、及びアルゴリズムのステップが、電子ハードウェア、コンピュータソフトウェア、若しくは両者の組み合わせとして実行される可能性があることを、さらに価値を認めるはずである。ハードウェア及びソフトウェアのこの互換性をはっきりと説明するために、各種の解説的なコンポーネント、ブロック、モジュール、及びステップが、その機能性の面から一般的にこれまでに説明されてきた。そのような機能性が、ハードウェア若しくはソフトウェアとして実行されるか否かは、固有のアプリケーション及びシステム全体に課せられた設計の制約に依存する。熟練した職人は、各々の固有のアプリケーションに対して違ったやり方で説明された機能性を実行する可能性があるが、そのような実行の決定は、本発明の範囲から逸脱することを引き起こすとして説明されるべきでない。
【０１２１】
ここに開示された実施形態に関連して述べられた、各種の解説的な論理ブロック、及びモジュールは、汎用プロセッサ、デジタルシグナルプロセッサ（ＤＳＰ）、アプリケーションスペシフィック集積回路（ＡＳＩＣ）、フィールドプログラマブルゲートアレイ（ＦＰＧＡ）若しくは他のプログラマブルロジックデバイス、ディスクリートゲート若しくはトランジスタロジック、ディスクリートハードウェアコンポーネント、若しくはここに説明した機能を実施するために設計されたこれらの任意の組み合わせで、実行若しくは実施される可能性がある。汎用プロセッサは、マイクロプロセッサである可能性があるが、代案では、プロセッサは、いずれかの従来のプロセッサ、コントローラ、マイクロコントローラ、若しくはステートマシン(state machine)である可能性がある。プロセッサは、演算装置の組み合わせとして実行されることができる。例えば、ＤＳＰとマイクロプロセッサの組み合わせ、複数のマイクロプロセッサ、ＤＳＰコアと結合した１若しくはそれより多いマイクロプロセッサ、若しくはいずれかの他のそのような構成である可能性がある。
【０１２２】
ここに開示された実施形態に関連して述べられた方法のステップ若しくはアルゴリズムは、ハードウェアにおいて、プロセッサにより実行されるソフトウェアモジュールにおいて、若しくは、両者の組み合わせにおいて直接実現される可能性がある。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、脱着可能なディスク、ＣＤ−ＲＯＭ、若しくは、この分野で知られているいずれかの他の記憶メディアの中に存在する可能性がある。あるイグゼンプラリな記憶メディアは、プロセッサに接続され、その結果、プロセッサは、記憶メディアから情報を読み出し、そこに情報を書き込める。代案では、記憶メディアは、プロセッサに集積される可能性がある。プロセッサ及び記憶メディアは、ＡＳＩＣ中に存在する可能性がある。ＡＳＩＣは、加入者局中に存在する可能性がある。代案では、プロセッサ及び記憶メディアは、加入者局中に単体コンポーネントとして存在する可能性がある。
【０１２３】
開示された実施形態のこれまでの説明は、本技術分野に知識のあるいかなる者でも、本発明を作成し、使用することを可能にすることを提供する。これらの実施形態の各種の変形は、本技術分野に知識のある者に、容易に実現されるであろう。そして、ここで規定された一般的な原理は、本発明の精神若しくは範囲から逸脱しないで他のある実施形態にも適用される可能性がある。それゆえ、本発明は、ここに示された実施形態に制限されることを意図したものではなく、ここに開示した原理及び新規な特性と整合する広い範囲に適用されるものである。
【図１】
2010158017.tif 000003
【図２】
2010158017.tif 000004
【図３】
2010158017.tif 000005
【図４】
2010158017.tif 000006
【図５】
2010158017.tif 000007
【図６】
2010158017.tif 000008
【図７】
2010158017.tif 000009
【図８】
2010158017.tif 000010
【図９】
2010158017.tif 000011
【図１０】
2010158017.tif 000012
【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
通信の方法であって、
呼び出しを始めること及び該呼び出しの終了を指示すること、ここで、該呼び出しを始めることは呼び出しメッセージを送ることを含み、該呼び出しメッセージは該呼び出しの終了を指示することを含む、ここで、該呼び出しを自動的に終了する決定が該呼び出しを始めることの前になされる；及び
該呼び出しの該指示された終了に応答して該呼び出しを自動的に終了させること、ここで、一旦該呼び出しを始めることを受信すると、終了させることは自動的に生じる
ことを具備する方法。
【請求項２】
請求項１の方法であって、該呼び出しに対する応答メッセージを受信することをさらに具備する、ここで、該呼び出しを自動的に終了させることは、該呼び出しの該指示された終了及び該受信された応答メッセージに応答する。
【請求項３】
請求項２の方法であって、ここで、該受信された応答メッセージは、呼び出し音を鳴らすことを指示する。
【請求項４】
請求項１の方法であって、ここで、該通信の方法は、セッションイニシエーションプロトコル通信の方法であり、呼び出しを始めることは、要請メッセージを送ることを含む、及び該呼び出しの該指示された終了に応答して該呼び出しを自動的に終了させることは、取り消しメッセージを送ることを含む。
【請求項５】
通信の方法であって、
呼び出しを開始する呼び出しメッセージを送ること；
該呼び出しメッセージに応答して呼び出し通知メッセージを送ること、該呼び出し通知メッセージは、該呼び出しの通知を提供する；
該呼び出し通知メッセージに応答して確認メッセージを送ること、該確認メッセージは、該呼び出し通知メッセージの受信を確認する；
該確認メッセージに応答して終了メッセージを自動的に送ること、ここで、該終了メッセージを自動的に送る決定が該呼び出し開始の前になされる
ことを具備する方法。
【請求項６】
請求項５の方法であって、通信チャネルを割り当てることをさらに具備する。
【請求項７】
請求項６の方法であって、終了メッセージを受信することに応答して該通信チャネルを割り当てを解くことをさらに具備する。
【請求項８】
請求項６の方法であって、該確認メッセージを受信することに応答して該通信チャネルの割り当てを解くことをさらに具備する。
【請求項９】
請求項５の方法であって、ここで、通信チャネルを割り当てることは、該呼び出しメッセージに応答してチャネル指定メッセージを送ることを含み、該チャネル指定メッセージは、該通信チャネルを指定する。
【請求項１０】
通信の方法であって、
当該呼び出しを終了させるための指示を有する呼び出しを開始するメッセージを受信すること；及び
該呼び出しを終了させるための指示を有する該呼び出しを開始する該メッセージを受信することに応答して該呼び出しを終了させること、ここで、該呼び出しを終了させるための該指示は、該呼び出しを開始する該メッセージを用いて自動的に送信される、そしてさらに、ここで、該呼び出しを自動的に終了させる決定が該呼び出し開始の前になされる
ことを具備する方法。
【請求項１１】
通信の方法であって、
呼び出しを開始する呼び出しメッセージを受信すること；
該呼び出しがリング−オンリー呼び出しであることの指示を受信すること；
該呼び出しメッセージに応答して呼び出し通知メッセージを送ること、該呼び出し通知メッセージは、該呼び出しの通知を提供する；及び
該呼び出しがリング−オンリー呼び出しであることの該指示に応答して終了メッセージを自動的に送ること、該終了メッセージは、該呼び出しを終了させる、ここで、該呼び出しを自動的に終了させる決定が該呼び出し開始の前になされる
ことを具備する方法。
【請求項１２】
加入者局であって、
呼び出しを始めるため及び該呼び出しの終了を指示するために構成された呼び出し開始ユニット；及び
該呼び出しを自動的に終了させるために構成された終了ユニット、ここで、一旦該始められた呼び出しが受信されそして該開始された呼び出しが該呼び出しを終了することの指示を含むと、該始められた呼び出しは自動的に終了される、ここで、該呼び出しを自動的に終了させる決定が該呼び出し開始の前になされる
ことを具備する加入者局。
【請求項１３】
請求項１２の加入者局であって、ここで、該終了ユニットは、該呼び出しの指示された終了に応答して該呼び出しを自動的に終了させるように構成される。
【請求項１４】
請求項１２の加入者局であって、ここで、該終了ユニットは、呼び出音を鳴らすことに応答して自動的に該呼び出しを終了させるように構成される。
【請求項１５】
請求項１２の加入者局であって、該呼び出しに対する応答メッセージを受信するように構成される受信ユニットをさらに具備する。
【請求項１６】
請求項１５の加入者局であって、ここで、該加入者局は、該呼び出しに対する応答メッセージを受信することに応答して該呼び出しを自動的に終了させるように構成される。
【請求項１７】
加入者局であって、
呼び出しを始めるための手段；
該呼び出しの終了を指示するための手段；及び
一旦該始められた呼び出しが加入者局によって受信されると、該呼び出しを自動的に終了させるための手段、ここで、該呼び出しを自動的に終了させる決定が該呼び出し開始の前になされる
を具備する加入者局。
【請求項１８】
加入者局であって、
当該呼び出しを終了させるための指示を有する呼び出しを開始するメッセージを受信する受信ユニット；及び
該呼び出しを終了させるための指示を有する該呼び出しを開始する該メッセージを受信することに応答して該呼び出しを自動的に終了させる終了ユニット、ここで、該呼び出しを自動的に終了させる決定が該呼び出し開始の前になされる
を具備する加入者局。
【請求項１９】
加入者局であって、
当該呼び出しを自動的に終了させるための指示を有する呼び出しを開始するメッセージを受信するための手段；及び
該呼び出しを自動的に終了させるための指示を有する該呼び出しを開始する該メッセージを受信することに応答して該呼び出しを終了させるための手段、ここで、該呼び出しを自動的に終了させる決定が該呼び出し開始の前になされる
を具備する加入者局。
【請求項２０】
ネットワークであって、
呼び出しを開始する呼び出しメッセージを受信するため及び該呼び出しがリング−オンリー呼び出しであることの指示を受信するために構成された受信ユニット；及び
該呼び出しメッセージに応答して呼び出し通知メッセージを送るために構成され、該呼び出し通知メッセージは該呼び出しの通知を提供する、及び該呼び出しがリング−オンリー呼び出しであることの該指示に応答して終了メッセージを自動的に送るために構成され、該終了メッセージは該呼び出しを自動的に終了させる送信ユニット、ここで、終了メッセージを自動的に送る決定が該呼び出し開始の前になされる
を具備するネットワーク。
【請求項２１】
通信システムであって、
呼び出しを開始するメッセージを生成し、送るために構成され、及び呼び出し音を鳴らすことを指示するメッセージに応答して終了メッセージを自動的に生成し、送るように構成され、該終了メッセージは該呼び出しを自動的に終了させる第１の加入者局、ここで、該呼び出しを自動的に終了させる決定が該呼び出し開始の前になされる；及び
呼び出しを開始する該メッセージを受信すると呼び出し音を鳴らすために構成され、及び呼び出し音を鳴らすことを指示しそして該終了メッセージを受信すると該呼び出しを自動的に終了させるメッセージを送るように構成された第２の加入者局
を具備する通信システム。
【外国語明細書】
2010158017000001.pdf